(57)【要約】【課題】人が実際の本を利用する時の習慣に合わせた頁めくりの操作を行なえるようにする。【解決手段】表示装置において、ユーザの操作により、少なくとも３以上の整数であるｎ頁だけ表示を前進させるｎ頁前進手段と、ユーザの操作により、１頁だけ表示を前進させる１頁前進手段と、ユーザの操作により、ｎが偶数である場合は（ｎ／２）頁だけ、ｎが奇数である場合は｛（ｎ−１）／２｝頁だけ表示を後退させる頁後退手段とを備える。【選択図】図１
2007102277.tif 000002
【特許請求の範囲】
【請求項１】
頁単位のデータを表示させ、頁単位で表示を切換える表示装置において、
ユーザの操作により、少なくとも３以上の整数であるｎ頁だけ表示を前進させるｎ頁前進手段と、
ユーザの操作により、１頁だけ表示を前進させる１頁前進手段と、
ユーザの操作により、ｎが偶数である場合は（ｎ／２）頁だけ、ｎが奇数である場合は｛（ｎ−１）／２｝頁だけ表示を後退させる頁後退手段とを備えたことを特徴とする表示装置。
【請求項２】
頁単位のデータを表示させ、頁単位で表示を切換える表示装置において、
ユーザの操作により設定された頁数だけ表示を前進させる、少なくとも二つ以上の頁前進手段と、
ユーザの操作により設定された頁数だけ表示を後退させる、少なくとも一つ以上の頁後退手段とを備え、
前記頁後退手段のうち少なくとも一つは、いずれの頁前進手段に設定された頁数とも異なる頁数が設定されている中頁後退手段であり、
前記頁前進手段のうち少なくとも一つは、前記中頁後退手段に設定された頁数以上の頁数が設定された多頁前進手段であり、
前記頁前進手段のうち少なくとも一つは、前記中頁後退手段に設定された頁数以下の頁数が設定された少頁前進手段であることを特徴とする表示装置。
【請求項３】
前記中頁後退手段に設定された頁数が、前記多頁前進手段に設定された頁数と前記少頁前進手段に設定された頁数とを足して２で割った頁数以下であることを特徴とする請求項２記載の表示装置。
【請求項４】
前記多頁前進手段に３以上の整数であるｎ頁が設定され、前記少頁前進手段に１頁が設定され、且つ、ｎが偶数である場合は（ｎ／２）頁、ｎが奇数である場合は｛（ｎ−１）／２｝頁が前記中頁後退手段に設定されていることを特徴とする請求項３記載の表示装置。
【請求項５】
前記頁前進手段の個数よりも前記頁後退手段の個数が少ないことを特徴とする請求項２から請求項４のいずれかに記載の表示装置。
【請求項６】
前記頁前進手段の個数が２個、且つ、前記頁後退手段の個数が1個であることを特徴とする請求項５記載の表示装置。
【請求項７】
前記表示手段は、互いに対向して設けられた第一基板及び第二基板と、前記第一基板と第二基板との基板間に荷電粒子を分散させた分散媒とを備えた電気泳動表示媒体に画像を表示させることを特徴とする請求項１から請求項６のいずれかに記載の表示装置。
【請求項８】
頁単位のデータを表示させ、頁単位で表示を切換える表示装置のコンピュータを、
ユーザの操作により、少なくとも３以上の整数であるｎ頁だけ表示を前進させるｎ頁前進手段と、
ユーザの操作により、１頁だけ表示を前進させる１頁前進手段と、
ユーザの操作により、ｎが偶数である場合は（ｎ／２）頁だけ、ｎが奇数である場合は｛（ｎ−１）／２｝頁だけ表示を後退させる頁後退手段として機能させることを特徴とする表示プログラム。
【請求項９】
頁単位のデータを表示させ、頁単位で表示を切換える表示装置のコンピュータを、
ユーザの操作により設定された頁数だけ表示を前進させる、少なくとも二つ以上の頁前進手段と、
ユーザの操作により設定された頁数だけ表示を後退させる、少なくとも一つ以上の頁後退手段として機能させ、
且つ、前記頁後退手段のうち少なくとも一つは、いずれの頁前進手段に設定された頁数とも異なる頁数が設定されている中頁後退手段として機能させ、
前記頁前進手段のうち少なくとも一つは、前記中頁後退手段に設定された頁数以上の頁数が設定された多頁前進手段として機能させ、
前記頁前進手段のうち少なくとも一つは、前記中頁後退手段に設定された頁数以下の頁数が設定された少頁前進手段として機能させることを特徴とする表示プログラム。
【発明の詳細な説明】
【技術分野】
【０００１】
本発明は、頁単位のデータを表示させ、頁単位で表示を切換える表示装置及び、表示プログラムに関する。
【背景技術】
【０００２】
従来、電子書籍等のデータのように複数の頁単位のデータからなる文章データを１頁ずつ表示させる表示装置があった。このような表示装置においては、ディスプレイに１頁ずつしか表示させない。したがって、このような表示装置においてはディスプレイに表示させる頁を１頁ずつ切換えて表示させていた。
【０００３】
また、これとは別に特許文献１には、ディスプレイに表示させる文章を１行ずつスクロールさせるスクロール表示装置が記載されている。このスクロール表示装置は１行下にスクロールさせる手段と、１行上にスクロールさせる手段と、８行下にスクロールさせる手段と、８行上にスクロールさせる手段と、予め設定された行数だけ下にスクロールさせる手段と、同じく予め設定された行数だけ上にスクロールさせる手段とを備えている。
【０００４】
【特許文献１】特開２００１−６０１３５号公報
【発明の開示】
【発明が解決しようとする課題】
【０００５】
人が実際の本を読む場合や、実際の本で人が調べ物をする場合（例えば、電話帳で電話番号を調べる場合、辞書を引く場合等）は、その本にどのような順番で情報が記載されているのかを知っている場合がある。したがって、ユーザはどこに何が記載されているか検討をつけながら本の頁めくりを行なう。例えば、英和辞典で単語を調べる場合はアルファベット順に記載されているので、ユーザは所望の単語が記載されている頁が現在開いている頁よりもどれくらい前にあるか若しくは後ろにあるかの検討を付けながら、英和辞典の頁めくりをする。
【０００６】
例えば、人が本の所望の頁を見つけるときは、初めは大まかに頁をめくっていく。しかし、大抵の場合は所望の頁がどこにあるか大体の見当しかついていないので、大まかにめくっていくと所望の頁より少し後ろの頁までめくってしまう。ユーザは少し後ろの頁まで開けてしまったということに気がつくと、少し前の頁まで数枚ずつ頁を逆方向にめくる。そして、少し前の頁まで戻りすぎてしまった場合は、今度は更に少しずつ頁をめくって所望の頁を見つけ出す。
【０００７】
しかしながら、従来の表示装置では上述のような人の習慣に合わせた頁めくり操作を行なうことができなかった。
【０００８】
そこで本発明は、上述の問題を解決するためになされたものであって、人が実際の本を利用する時の習慣に合わせた頁めくりの操作が行なえる表示装置を提供することを目的とする。
【課題を解決するための手段】
【０００９】
この目的を達成するために、請求項１記載の表示装置は、頁単位のデータを表示させ、頁単位で表示を切換える表示装置であって、ユーザの操作により、少なくとも３以上の整数であるｎ頁だけ表示を前進させるｎ頁前進手段と、ユーザの操作により、１頁だけ表示を前進させる１頁前進手段と、ユーザの操作により、ｎが偶数である場合は（ｎ／２）頁だけ、ｎが奇数である場合は｛（ｎ−１）／２｝頁だけ表示を後退させる頁後退手段とを備えたことを特徴とする。
【００１０】
また、請求項２記載の表示装置は、頁単位のデータを表示させ、頁単位で表示を切換える表示装置であって、ユーザの操作により設定された頁数だけ表示を前進させる、少なくとも一つ以上の頁前進手段と、ユーザの操作により設定された頁数だけ表示を後退させる、少なくとも一つ以上の頁後退手段とを備え、前記頁後退手段のうち少なくとも一つは、いずれの頁前進手段に設定された頁数とも異なる頁数が設定されている中頁後退手段であり、前記頁前進手段のうち少なくとも一つは、前記中頁後退手段に設定された頁数以上の頁数が設定された多頁前進手段であり、前記頁前進手段のうち少なくとも一つは、前記中頁後退手段に設定された頁数以下の頁数が設定された少頁前進手段であることを特徴とする。
【００１１】
また、請求項３記載の表示装置は、請求項２記載の表示装置であって、前記中頁後退手段に設定された頁数が、前記多頁前進手段に設定された頁数と前記少頁前進手段に設定された頁数とを足して２で割った頁数以下であることを特徴とする。
【００１２】
また、請求項４記載の表示装置は、請求項３記載の表示装置であって、前記多頁前進手段に３以上の整数であるｎ頁が設定され、前記少頁前進手段に１頁が設定され、且つ、ｎが偶数である場合は（ｎ／２）頁、ｎが奇数である場合は｛（ｎ−１）／２｝頁が前記中頁後退手段に設定されていることを特徴とする。
【００１３】
また、請求項５記載の表示装置は、請求項２から請求項４のいずれかに記載の表示装置であって、前記頁前進手段の個数よりも前記頁後退手段の個数が少ないことを特徴とする。
【００１４】
また、請求項６記載の表示装置は、請求項５記載の表示装置であって、前記頁前進手段の個数が２個、且つ、前記頁後退手段の個数が1個であることを特徴とする。
【００１５】
また、請求項７記載の表示装置は、請求項１から請求項６のいずれかに記載の表示装置であって、前記表示手段は、互いに対向して設けられた第一基板及び第二基板と、前記第一基板と第二基板との基板間に荷電粒子を分散させた分散媒とを備えた電気泳動表示媒体に画像を表示させることを特徴とする。
【００１６】
また、請求項８記載の表示プログラムは、頁単位のデータを表示させ、頁単位で表示を切換える表示装置のコンピュータを、ユーザの操作により、少なくとも３以上の整数であるｎ頁だけ表示を前進させるｎ頁前進手段と、ユーザの操作により、１頁だけ表示を前進させる１頁前進手段と、ユーザの操作により、ｎが偶数である場合は（ｎ／２）頁だけ、ｎが奇数である場合は｛（ｎ−１）／２｝頁だけ表示を後退させる頁後退手段として機能させることを特徴とする。
【００１７】
また、請求項９記載の表示プログラムは、頁単位のデータを表示させ、頁単位で表示を切換える表示装置のコンピュータを、ユーザの操作により設定された頁数だけ表示を前進させる、少なくとも二つ以上の頁前進手段と、ユーザの操作により設定された頁数だけ表示を後退させる、少なくとも一つ以上の頁後退手段として機能させ、且つ、前記頁後退手段のうち少なくとも一つは、いずれの頁前進手段に設定された頁数とも異なる頁数が設定されている中頁後退手段として機能させ、前記頁前進手段のうち少なくとも一つは、前記中頁後退手段に設定された頁数以上の頁数が設定された多頁前進手段として機能させ、前記頁前進手段のうち少なくとも一つは、前記中頁後退手段に設定された頁数以下の頁数が設定された少頁前進手段として機能させることを特徴とする表示プログラム。
【発明の効果】
【００１８】
請求項１記載の記載の表示装置によれば、ｎ頁前進手段と、後退手段と、１頁前進手段とを有しているので、人が実際の本を利用する時の習慣に合わせた頁めくりの操作を行なうことができる。
【００１９】
また、請求項２記載の表示装置によれば、多頁前進手段と、中頁後退手段と、少頁前進手段とを有しているので、人が実際の本を利用する時の習慣に合わせた頁めくりの操作をユーザが行なえる。
【００２０】
また、請求項３記載の表示装置によれば、請求項２記載の表示装置が奏する効果に加え、ユーザがより容易に所望の頁を見つけ出すことができる。
【００２１】
また、請求項４記載の表示装置によれば、請求項３記載の表示装置が奏する効果に加え、ユーザがより容易に所望の頁を見つけ出すことができる。
【００２２】
また、請求項５記載の表示装置によれば、請求項２から請求項４のいずれかに記載の表示装置が奏する効果に加え、前記頁前進手段の数より前記頁後退手段の数を少なくしたので、表示装置の小型化を図ることができる。
【００２３】
また、請求項６記載の表示装置によれば、請求項５記載の表示装置が奏する効果に加え、最も表示装置の小型化を図ることができる。
【００２４】
また、請求項７記載の表示装置によれば、請求項１から請求項６のいずれかに記載の表示装置が奏する効果に加え、電気泳動表示媒体にデータを表示することができる。
【００２５】
また、請求項８記載の表示プログラムによれば、ｎ頁前進手段と、後退手段と、１頁前進手段とを有しているので、人が実際の本を利用する時の習慣に合わせた頁めくりの操作を行なうことができる。
【００２６】
また、請求項９記載の表示プログラムによれば、多頁前進手段と、中頁後退手段と、少頁前進手段とを有しているので、人が実際の本を利用する時の習慣に合わせた頁めくりの操作をユーザが行なえる。
【発明を実施するための最良の形態】
【００２７】
以下、本発明の実施の形態について図面を参照して説明する。図１は本発明の第１の実施形態である表示装置１００の外観を示す斜視図である。図１に示すように、表示装置１００は、文字又は画像を表示可能な表示パネル１０と、枠体５と、電源入力部７０と、差込口８０と、２頁戻りキー２１、１頁送りキー２２、５頁送りキー２３とを備えている。
【００２８】
表示パネル１０は、着色した荷電粒子を分散させた表示液が、２枚のガラス基板の間に封止されることにより構成される電気泳動表示媒体である。表示装置１００において、表示パネル１０を構成する２枚のガラス基板の一方面が、枠体５の上面側に露出し、表示面を構成する。２枚のガラス基板にそれぞれ設けられた電極（図示せず）に、後述するテキストデータやイメージデータなどの各種画像データに応じた電圧を印加することにより、表示液中の荷電粒子を泳動させ、表示面側に泳動された荷電粒子に起因する画像を表示させることができる。このような電気泳動表示媒体は特開２００４−１３１１９号公報に記載されており、周知であるので説明を省略する。
【００２９】
枠体５は、表示パネル１０を取り囲む部材であって、その上面には、電源入力部７０と、２頁戻りキー２１と、１頁送りキー２２と、５頁送りキー２３とが設けられている。
【００３０】
２頁戻りキー２１、１頁送りキー２２、及び、５頁送りキー２３は、表示パネル１０の下側に配置されており、左から順番に２頁戻りキー２１、１頁送りキー２２、及び、５頁送りキー２３が並べられている。
【００３１】
２頁戻りキー２１は表示頁を２頁戻るためのキーである。１頁送りキー２２は表示頁を１頁送るためのキーである。５頁送りキー２３は表示頁を５頁送るためのキーである。
【００３２】
電源入力部７０は表示パネル１０の上側の左側に配置されている。電源入力部７０がスライドされることによって、表示装置１００の電源が入力される。
【００３３】
図１において、枠体５の上端面の右側には差込口８０が形成されている。差込口８０は文章データ６１を記憶したメモリカード６０が差し込まれる差込口である。文章データ６１は頁単位のデータで構成された電子文書である。
【００３４】
次に表示装置１００の内部構成をブロック図を用いて説明する。図２は表示装置１００のブロック図である。図２に示すように表示装置１００は表示パネル１０と、表示制御部１５と、キー操作部２０と、キーＩ／Ｆ２５と、ＣＰＵ３０と、ＲＯＭ４０と、ＲＡＭ５０と、メモリカードＩ／Ｆ６５とを備えている。ここで、２頁戻りキー２１と、１頁送りキー２２と、５頁送りキー２３とをまとめてキー操作部２０と称する。
【００３５】
ＲＯＭ４０は後述するプログラム４１を記憶しており、ＣＰＵ３０と接続されている。ＲＡＭ５０は後述する表示頁番号を記憶する表示頁番号記憶領域５１を備え、ＣＰＵ３０に接続されている。メモリカードＩ／Ｆ６５は上述の差込口８０に差し込まれたメモリカード６０から文章データ６１を読み出すためのインターフェースである。メモリカードＩ／Ｆ６５はＣＰＵ３０と接続されている。メモリカード６０は文書データ６１をひとつだけ記憶している。
【００３６】
キーＩ／Ｆ２５は上述のキー操作部２０からの信号をＣＰＵ３０へ伝えるためのインターフェースである。キーＩ／Ｆ２５はＣＰＵ２５と接続されている。
【００３７】
表示制御部１５はＣＰＵ３０に接続され、ＣＰＵ３０の指示に基づいて表示パネル１０の表示を制御する。
【００３８】
次に表示装置１００の動作について説明する。図３はＲＯＭ４０に記憶されているプログラム４１に基づいてＣＰＵ３０が行う処理を説明するためのフローチャートである。以下図３を参照して表示装置１００の動作について説明する。
【００３９】
まず、電源入力部７０が操作されて表示装置１００の電源がオンされると自動的に処理が開始される。また電源入力部７０が逆方向にスライドされると表示装置１００の電源が切られ、ＣＰＵ３０に電源が供給されなくなるので、後述する処理は終了する。
【００４０】
電源が入力され、ＣＰＵ３０は処理を開始するとまず、変数Ｉに「１」を設定する（Ｓ１０１）。ここで、変数Ｉは、表示パネル１００に表示させる電子文書の頁番号を示す変数であり、変数の値はＲＡＭ５０の表示頁番号記憶領域５１記憶される。
【００４１】
次に、メモリカード６０が差込口８０に挿入されているか否かを判断する（Ｓ１０２）。メモリカード６０が差込口８０に挿入されていない場合は（Ｓ１０２：ＮＯ）、Ｓ１０２に戻りメモリカード６０が挿入されるまで待機する。
【００４２】
差込口８０にメモリカード６０が挿入されている場合は（Ｓ１０２：ＹＥＳ）、メモリカード６０に記憶されている文章データ６１のＩ頁目のデータを表示パネル１０に表示させる（Ｓ１０３）。差込口８０にメモリカード６０が挿入された直後は、Ｓ１０１において変数Ｉに１が設定されているので、1頁目のデータが表示される。
【００４３】
次にキー操作部２０からの入力があるか否かを判断する（Ｓ１０４）。キー操作部２０からの入力がない場合は（Ｓ１０４：ＮＯ）、キー操作部２０からの入力があるまで待機する。
【００４４】
キー操作部２０からの入力があった場合は（Ｓ１０４：ＹＥＳ）、その入力が２頁戻りキー２１からの入力であるか否かを判断する（Ｓ１０５）。
【００４５】
２頁戻りキー２１からの入力であった場合は（Ｓ１０５：ＹＥＳ）、現在の変数Ｉの値から２をひいた値を変数Ｉに設定する（Ｓ１０６）。
【００４６】
次に変数Ｉが１より小さいか否かを判断する（Ｓ１０７）。変数Ｉが１より小さい場合は（Ｓ１０７：ＹＥＳ）、変数Ｉに１の値を設定する（Ｓ１０８）。これは文章データ６１には１頁よりも前に表示させる頁が存在しないからである。その後、Ｓ１０２へ戻り、引き続きメモリカード６０が差し込まれている場合は（Ｓ１０２：ＹＥＳ）、Ｓ１０３において、文章データ６１の１頁目が表示される。
【００４７】
Ｓ１０７において、変数Ｉが１より小さくないと判断した場合は（Ｓ１０７：ＮＯ）、Ｓ１０２へ戻り、引き続きメモリカード６０が差し込まれている場合は（Ｓ１０２：ＹＥＳ）、Ｓ１０３において、２頁前の頁に表示を切換える。
【００４８】
Ｓ１０５において、キー操作部２０からの入力が２頁戻りキー２１からの入力でないと判断した場合は（Ｓ１０５：ＮＯ）、キー操作部２０からの入力が１頁送りキー２２からの入力であるか否かを判断する（Ｓ１０９）。
【００４９】
キー操作部２０からの入力が１頁送りキー２２からの入力である場合は（Ｓ１０９：ＹＥＳ）、現在の変数Ｉの値に１を足した値を変数Ｉに設定する（Ｓ１１０）。その後、変数Ｉの値が文書データ６１の総頁数（最後の頁の頁番号）よりも大きいか否かを判断する（Ｓ１１２）。
【００５０】
変数Ｉの値が文書データ６１の総頁数よりも大きい場合は（Ｓ１１２：ＹＥＳ）、変数Ｉの値に文章データ６１の総頁数の値を設定する（Ｓ１１３）。これは、文章データ６１には最後の頁の次に表示させる頁は存在しないからである。その後、Ｓ１０２へ戻り、引き続きメモリカード６０が差し込まれている場合は（Ｓ１０２：ＹＥＳ）、Ｓ１０３において、文章データ６１の最後の頁が表示される。
【００５１】
Ｓ１１２において、変数Ｉの値が文書データ６１の総頁数よりも大きくないと判断した場合は（Ｓ１１２：ＮＯ）、Ｓ１０３において、１頁次の頁に表示を切換える
また、Ｓ１０９において、キー操作部２０からの入力が１頁送りキー２２からの入力でないと判断した場合は（１０９：ＮＯ）、現在の変数Ｉの値に５を足した値を変数Ｉに設定する（Ｓ１１１）。Ｓ１０９でＮＯと判断される場合は、キー操作部２０からの入力は５頁送りキー２３からの入力であるからである。
【００５２】
その後、Ｓ１１２へ進み、上述したように変数Ｉの値が文書データ６１の総頁数よりも大きいと判断した場合は（Ｓ１１２：ＹＥＳ）、Ｓ１０３において文章データ６１の最後の頁が表示される。また、変数Ｉの値が文書データ６１の総頁数よりも大きくないと判断した場合は（Ｓ１１２：ＮＯ）、Ｓ１０３において、５頁次の頁に表示を切換える。
【００５３】
また、Ｓ１０２においてＮＯと判断された場合にＳ１０１に戻るのは、途中でメモリカード６０がぬかられ、また違うメモリカード６０が差し込まれたときに１頁目から表示されるようにするためである。
【００５４】
本実施形態における５頁送りキー２３の押下に伴い５頁送る処理を行うＣＰＵ３０が、請求項１におけるｎ頁前進手段である。また、１頁送りキー２２の押下に伴い１頁送る処理を行うＣＰＵ３０が、請求項１における１頁前進手段である。また２頁戻りキー２１の押下に伴い１頁戻す処理を行うＣＰＵ３０が、請求項１における頁後退手段である。
【００５５】
また、本実施形態における５頁送りキー２３の押下に伴い５頁送る処理を行うＣＰＵ３０が、請求項２における多頁前進手段である。また、１頁送りキー２２の押下に伴い１頁送る処理を行うＣＰＵ３０が、請求項２における少頁前進手段である。また２頁戻りキー２１の押下に伴い２頁戻す処理を行うＣＰＵ３０が、請求項２における中頁後退手段である。
【００５６】
図４は、文章データ６１中の所望の頁を見つけるためにユーザが行なう表示装置１００の操作を説明するための説明図である。ここで、文章データ６１のＮ頁目が表示装置１００に表示されているものとする。Ｎは任意の数である。
【００５７】
図４の（ａ）は所望の頁がＮ＋５頁に存在する場合の操作を示し、（ｂ）は所望の頁がＮ＋４頁に存在する場合の操作を示し、（ｃ）は所望の頁がＮ＋３頁に存在する場合の操作を示し、（ｄ）は所望の頁がＮ＋２頁に存在する場合の操作を示し、（ｅ）は所望の頁がＮ＋１頁に存在する場合の操作を示す。
【００５８】
所望の頁がＮ＋５頁に存在する場合は、５頁送りキー２３を１回押下すれば、ユーザは所望の頁を見つけることができる。
【００５９】
所望の頁がＮ＋４頁に存在する場合は、５頁送りキー２３を１回押下してＮ＋５頁を開くがＮ＋５頁の記載をみて、所望の頁が少し前の頁であることが判断できる。そして、２頁戻りキー２１を１回押下してＮ＋３頁を開く。このとき、少し戻り過ぎたと判断し、１頁送りキー２２を１回押下して所望の頁を見つけることができる。
【００６０】
所望の頁がＮ＋３頁に存在する場合は、５頁送りキー２３を１回押下してＮ＋５頁を開く。所望の頁はＮ＋５頁よりも前の頁なので、２頁戻りキー２１を１回押下し所望の頁にたどり着く。
【００６１】
所望の頁がＮ＋２頁に存在する場合は、５頁送りキー２３を１回押下してＮ＋５頁を開く。所望の頁はＮ＋５頁よりも前の頁なので、２頁戻りキー２１を１回押下しＮ＋３頁にたどり着く。所望の頁はＮ＋３頁よりも前の頁なので、２頁戻りキー２１をもう１回押下してＮ＋１頁にたどり着く。所望の頁はＮ＋１頁よりも後ろの頁なので、１頁送りキー２２を一回押下してＮ＋２頁にたどり着く。
【００６２】
所望の頁がＮ＋１頁に存在する場合は、頁送りキー２３を１回押下してＮ＋５頁を開く。所望の頁はＮ＋５頁よりも前の頁なので、２頁戻りキー２１を１回押下しＮ＋３頁にたどり着く。所望の頁はＮ＋３頁よりも前の頁なので、２頁戻りキー２１をもう１回押下して所望の頁にたどり着く。
【００６３】
このように表示装置１００は、２頁戻りキー２１、１頁送りキー２２、５頁送りキー２３を備えているので、ユーザは実際の本を利用する時の習慣に合わせた頁めくりの操作を行なうことができる。
【００６４】
これに比べ、５頁送るキーと、５頁戻るキーと、１頁送るキーと、１頁戻るキーとを備えた表示装置では、所望の頁にたどり着くためにユーザは次のような操作を行なうことになる。図５にそのときの操作を説明する説明図である。
【００６５】
図５の（ａ）は所望の頁がＮ＋５頁に存在する場合の操作を示し、（ｂ）は所望の頁がＮ＋４頁に存在する場合の操作を示し、（ｃ）は所望の頁がＮ＋３頁に存在する場合の操作を示し、（ｄ）は所望の頁がＮ＋２頁に存在する場合の操作を示し、（ｅ）は所望の頁がＮ＋１頁に存在する場合の操作を示す。
【００６６】
所望の頁がＮ＋５頁に存在する場合は、５頁送るキーを１回押下して所望の頁を見つける。
【００６７】
所望の頁がＮ＋４頁に存在する場合は、５頁送るキーを１回押下してＮ＋５頁を開くがＮ＋５頁の記載をみて、所望の頁が少し前の頁であることが判断できる。そして、１頁戻るキーを１回押下して、所望の頁を見つける。
【００６８】
所望の頁がＮ＋３頁に存在する場合は、５頁送りキー２３を１回押下してＮ＋５頁を開く。所望の頁はＮ＋５頁よりも前の頁なので、２頁戻りキー２１を２回押下し所望の頁にたどり着く。
【００６９】
所望の頁がＮ＋２頁に存在する場合は、５頁送りキー２３を一回押下してＮ＋５頁を開く。所望の頁はＮ＋５頁よりも前の頁なので、２頁戻りキー２１を３回押下して所望の頁にたどり着く。
【００７０】
所望の頁がＮ＋１頁に存在する場合は、頁送りキー２３を一回押下してＮ＋５頁を開く。所望の頁はＮ＋５頁よりも前の頁なので、２頁戻りキー２１を４回押下して所望の頁にたどり着く。
【００７１】
このように、５頁送るキーと、５頁戻るキーと、１頁送るキーと、１頁戻るキーとを備えた表示装置ではユーザは実際の本を利用する時の習慣に合わせた頁めくりの操作を行なうことができない。
【００７２】
上述の実施形態では、表示装置１００は、２頁戻りキー２１、１頁送りキー２２、５頁送りキー２３を備えているものとして説明したが、それらのキーの代わりに、３頁戻すことができる３頁戻りキーと、１頁送ることができる１頁送りキーと、６頁送ることができる６頁送りキーとを備えるようにしても良い。
【００７３】
３以上の整数であるｎ頁送るキーと、１頁送るキーと、ｎが偶数である場合は（ｎ／２）頁、ｎが奇数である場合は｛（ｎ−１）／２｝頁キーを備えていれば、これらの三つのキーで頁めくりを行なう場合に、所望する頁までたどり着くためにキーを押す回数の平均が最も少なくなるので最も操作し易い。
【図面の簡単な説明】
【００７４】
【図１】表示装置１００の外観を示す斜視図。
【図２】表示装置１００のブロック図。
【図３】ＣＰＵ３０が行う処理を説明するためのフローチャート。
【図４】所望の頁を見つけるためにユーザが行なう表示装置１００の操作を説明する説明図。
【図５】５頁送るキーと、５頁戻るキーと、１頁送るキーと、１頁戻るキーとを備えた表示装置で所望の頁を見つけるためにユーザが行なう操作を説明する説明図。
【符号の説明】
【００７５】
５  枠体
１０  表示パネル
１５  表示制御部
２０  キー操作部
２１  ２頁戻りキー
２２  １頁送りキー
２３  ５頁送りキー
２５  キーＩ／Ｆ
３０  ＣＰＵ
４０  ＲＡＭ
４１  プログラム
５０  ＲＡＭ
５１  表示頁番号記憶領域
６０  メモリカード
６１  文書データ
６５  メモリカードＩ／Ｆ
７０  電源入力部
８０  差込口
１００  表示装置
【図１】
2007102277.tif 000003
【図２】
2007102277.tif 000004
【図３】
2007102277.tif 000005
【図４】
2007102277.tif 000006
【図５】
2007102277.tif 000007